(57)【要約】    【課題】  ストライク出没機構に係る部材が外部から見えず意匠性に優れると共に、ストライクのケース部材を押す操作で開放状態の解除を行なうことができる戸当たりを提供すること。    【解決手段】  ドアに固定されるストライク１０が、ドアに固定される固定部材と、円筒面には一対の上方螺旋孔３１と一対の下方螺旋孔３２を有し、一対の上方螺旋孔３１間に径方向に差し渡しで付設されるトップピン７と、一対の下方螺旋孔３２間に径方向に差し渡しで付設され且つ該トップピン７と互いに離間する方向に付勢されるボトムピン８とを備える回転筒状カム３と、回転筒状カム３のトップピン７と係合してバネ付勢に抗して下方側にスライド移動するケース部５と、ボトムピン８に連結され、ケース部５の下方移動に伴うボトムピン８の上方移動に連動して、上方に移動するストライクピン４を備える。【選択図】  図１
2005307478.tif 000002
【特許請求の範囲】
【請求項１】
ドアに固定されるストライクと、床面に固定される戸当たり本体部とからなるものであって、該ストライクは、ドアに固定される固定部材と、
円筒面には対向する一対の上方螺旋孔と対向する一対の下方螺旋孔を有し、該一対の上方螺旋孔間に径方向に差し渡しで付設されるトップピンと、該一対の下方螺旋孔間に径方向に差し渡しで付設され且つ第１スプリングバネで該トップピンと互いに離間する方向に付勢されるボトムピンとを備える回転筒状カムと、
該回転筒状カムのトップピンと係合して該第１スプリングバネのバネ付勢に抗して下方側にスライド移動するケース部と、
該ボトムピンに連結され、第２スプリングバネにより下方にバネ付勢されると共に、該ケース部の下方移動に伴う該ボトムピンの上方移動に連動して、上方に移動するストライクピンを備えることを特徴とする戸当たり。
【請求項２】
前記固定部材は、略矩形形状の台座本体を有するドアに固定される台座部と、半縦割り円筒状部の割り端面をドアの反対側に向けて付設され該台座部に固定されるブラケットとからなり、
該ケース部は、該ブラケットの割り端面に対向するレール部を内周面に有するドア側の一側面と底面が開口するものであって、
該割り端面と該レール部とで該トップピンとボトムピンの両端部を挟持しつつガイドすることを特徴とする請求項１記載の戸当たり。
【請求項３】
前記戸当たり本体部は、中央部に該ストライクピンが収容される穴部と、内側に上り勾配となる傾斜面を有する半円錐状部材であるか、あるいは中央部に該ストライクピンが収容される穴部を有する円盤状部材であることを特徴とする請求項１又は２記載の戸当たり。
【発明の詳細な説明】
【技術分野】
【０００１】
本発明は、ストライクの外側ケースの天板を下方へ押すだけでストライクピンが上昇して、床面に固定される戸当たり本体部との解除ができる戸当たりに関するものである。
【背景技術】
【０００２】
従来、家屋の各部屋に設置されるドアを開く際、壁面への激突を防止すると共に、開き状態に維持する手段として、床付け戸当たりが知られている。一般的には、激突を避ける壁の手前の床面にドアと対向する面に緩衝材を付設すると共にリング状の係り具を設けた床付け戸当たりと、ドアの略先端部に付設される該係り具が架かるフック状の係合部材とからなるものが使用されている。
【０００３】
近年、改良された種々の形態の戸当たりが提案されている。特許文献１の特開２０００−４５６０６号公報には、床に固定する戸当たり本体と、ドアに固定し、該戸当たり本体の上端部と保持可能に形成した係止体とから構成し、戸当たり本体、係止体のいずれか一方に保持力調整手段を配設した戸当たりが開示されている。また、特許文献２の特開２０００−２４８８０８号公報には、弾性材料製の戸当たり部に、扉に設けられた磁着部を磁着するマグネットあるいは磁性材料製の扉仮保持部を係合させ並設してなる戸当たり装置が開示されている。また、特許文献３の特開平１０−３２５２７４号公報には、戸当たり本体を床面に固定する固定体と、ばねにより上方に付勢されながら固定体に上下方向に摺動可能に配設され、足の踏み面により操作可能な形状に形成した、ストッパーを係止する可動係止体と、戸当たり本体の最外周に配設した緩衝体とで構成した戸当たりが開示されている。これらの戸当たりはいずれもドアの開き操作のみで戸当たり本体と係止体が仮止め又は保持される点で有用なものである。
【特許文献１】特開２０００−４５６０６号公報（特許請求の範囲、図１、図２）
【特許文献２】特開２０００−２４８８０８号公報（特許請求の範囲、図１）
【特許文献３】特開平１０−３２５２７４号公報（特許請求の範囲、図１）
【発明の開示】
【発明が解決しようとする課題】
【０００４】
しかしながら、特開２０００−４５６０６号公報や特開平１０−３２５２７４号公報に記載の戸当たりは、戸当たり本体と係止体の係合が上下方向に付勢する弾性体によるものであり、戸当たり形状が上下方向で大きくなり見栄えが悪いという問題がある。また、係合体やストッパーの先端が室内側に突出しているため、安全とは言い難くまた同様に見栄えが悪いという問題がある。また、特開２０００−２４８８０８号公報記載の戸当たりはドアが戸当たり部に激しく当たるような場合には、弾性材料が付設されているものの、仮保持が困難となる場合があると共に、結局はフック部材による保持であるため、保持状態とする際、あるいは保持状態を解除する際には腰をかがめての手動作や足での解除操作が必要となり面倒である。
【０００５】
従って、本発明の目的は、ストライク出没機構に係る部材が外部から見えず意匠性に優れると共に、ストライクのケース部材を押す操作又はドアの開け操作で確実なドアの開放状態が保持でき、またストライクのケース部材を押す操作で開放状態の解除を行なうことができる戸当たりを提供することにある。
【課題を解決するための手段】
【０００６】
すなわち、本発明の戸当たりは、ドアに固定されるストライクと、床面に固定される戸当たり本体部とからなるものであって、該ストライクは、ドアに固定される固定部材と、円筒面には対向する一対の上方螺旋孔と対向する一対の下方螺旋孔を有し、該一対の上方螺旋孔間に径方向に差し渡しで付設されるトップピンと、該一対の下方螺旋孔間に径方向に差し渡しで付設され且つ第１スプリングバネで該トップピンと互いに離間する方向に付勢されるボトムピンとを備える回転筒状カムと、該回転筒状カムのトップピンと係合して該第１スプリングバネのバネ付勢に抗して下方側にスライド移動するケース部と、該ボトムピンに連結され、第２スプリングバネにより下方にバネ付勢されると共に、該ケース部の下方移動に伴う該ボトムピンの上方移動に連動して、上方に移動するストライクピンを備えることを特徴とする。
【発明の効果】
【０００７】
本発明の戸当りによれば、ストライク出没機構に係る部材が外部から見えず意匠性に優れると共に、ストライクのケース部材を足で押す操作又はドアの開け操作で確実なドアの開放状態が保持でき、またストライクのケース部材を足で押す操作で開放状態の解除を行なうことができる。
【発明を実施するための最良の形態】
【０００８】
次に、本発明の実施の形態における戸当りを図１〜図１０を参照して説明する。図１は本例の戸当りで用いるストライクの分解斜視図、図２は図１の分解部品の一部を組み付けた図、図３はケース部のドア側から見た斜視図、図４はケース部の下方移動に伴う各部材の動きを説明する簡略図、図５はトップピンとボトムピンの両端部の係合位置を説明する図、図６はストライクと戸当り本体部の位置関係を説明する図、図７及び図８は本例の戸当りの使用方法を説明する図、図９及び図１０は他の例の戸当りの使用方法を説明する図である。なお、図４及び図５は簡略図であり、理解を容易にするため、例えば図４では固定具等の記載、図５では回転筒状カムやスプリング等の記載をそれぞれ省略している。
【０００９】
戸当りは、ドアに固定されるストライク１０と、床面に固定される戸当たり本体部６０（７０）とからなるものであって、ストライク１０は、ドアに固定される固定部材と、回転筒状カム３と、ケース部５と、ストライクピン４を備える。固定部材はドア９０にビス穴１５を通してビス等で直接固定される略矩形形状の台座本体１２を有する台座部１と、台座部１の上端の台座係合部１１に係合して台座部１に固定されるブラケット２からなる。台座部１は下方に台座本体１２と一体のスカート穴部１４を有するスカート部１３を有する。スカート部１３はブラケット２の位置決めとして機能すると共に、ストライクピン４のピン頭４４の大部分及び第２スプリングバネ４１を覆って、意匠性を高めている。
【００１０】
ブラケット２は半縦割り円筒状部２２の割り端面２６、２６をドアの反対側に向けて付設されるもので、上方のフック状の係合片２１が台座部１の台座係合部１１に係合して固定される。ブラケット２は割り端面２６、２６とケース部５の内周面に形成されるレール部５２、５２とで回転筒状カム３のトップピン７の両端部７０１とボトムピン８の両端部８０１を挟持しつつガイドするものである。割り端面２６、２６の下端には両側からケース部側に突出した角部２７を形成してボトムピン８の下方位置を制御している。ブラケット２の下方にはストライクピンの連結棒４２が遊嵌する底板開口２４を有する底板２３を有し、底板２３には脚部２５を設けて、第２スプリングバネ４１の収容スペースを確保している。また、半縦割り円筒状部２２の割り端面２６上方のドア側（裏側）には、角部２８を形成している。角部２８にはケース部５の固定具６の爪６１が嵌合するため、移動部材であるケース部５と固定部材であるブラケット２の嵌め合いと位置関係が安定して維持される。
【００１１】
回転筒状カム３は、円筒面３１１には対向する一対の上方螺旋孔３１と対向する一対の下方螺旋孔３２を有し、一対の上方螺旋孔３１間に径方向において差し渡しで付設されるトップピン７と、一対の下方螺旋孔３２間に径方向において差し渡しで付設されるボトムピン８を有し、トップピン７とボトムピン８間には第１スプリングバネ９を両ピンが互いに離間する方向に付勢するように配置されている（不図示）。一対の上方螺旋孔３１は、一方の上方螺旋孔を円筒面において軸芯を中心に１８０度回転させた場合、他方の上方螺旋孔と同一形状となるものであり、また、一対の下方螺旋孔３２も、一方の下方螺旋孔を円筒面において軸芯を中心に１８０度回転させた場合、他方の下方螺旋孔と同一形状となるものであり、図４（Ｂ）に示すように、上方螺旋孔３１が側面視で右下がり傾斜の場合、下方螺旋孔３２は右上がり傾斜となる。上方螺旋孔３１及び下方螺旋孔３２の孔径は、トップピン７及びボトムピン８の外径よりやや大きくして、上方螺旋孔３１内及び下方螺旋孔３２内を両ピンが移動し易くしている。トップピン７及びボトムピン８の長さは、上方螺旋孔３１及び下方螺旋孔３２に差し渡しで挿通した場合、両端部が円筒面３１１から数ミリ程度突出する長さとする。また、上方螺旋孔３１及び下方螺旋孔３２における垂直方向における長さは、ケース部５のストローク長さと略同じである。トップピン７の両端部７０１及びボトムピン８の両端部８０１は、ブラケット２の割り端面２６、２６とケース部５の内周面に形成されるレール部５２、５２とで挟持されつつガイドされる。
【００１２】
ケース部５は、ストライクピン４を上方移動させるための操作部材であると共に、回転筒状カム３やピン部材を覆い意匠性を高めるものである。ケース部５はブラケット２の割り端面２６、２６に対向するレール部５２を内周面に有するドア側の一側面と底面が開口するものである。また、レール部５２の上端には両側から台座部側に突出させた壁により角状の係合部５３を形成し、該係合部５３がトップピン７に係り止めされるようになっている。また、ケース部５の内部上方に設置される螺子孔５１には、固定具６の螺子孔６２が合わされて螺子止めされる。このように、ケース部５は固定具６を介してブラケット２に嵌め込まれると同時に、ケース部５の係合部５３、５３がトップピン７の両端部の上面に線接触で当接しているため、ケース部５を下方に移動させると、固定部材であるブラケット２に対してトップピン７を下方へ円滑に友連れすることができる。
【００１３】
ストライクピン４は、連結孔４３を有する第２スプリングバネ４１が嵌めこまれた連結棒４２と、連結棒４２の下方にあり連結棒より大径のピン頭４４を有する。連結孔４３の長さはケース部５の略ストローク長さと同じである。ストライクピン４の連結孔４３にはボトムピン８が挿通されて両者は連結され、ストライクピン４は第２スプリングバネ４１により下方にバネ付勢されると共に、ケース部５の下方移動に伴うボトムピン８の上方移動に連動して、上方へ移動（没入）する。
【００１４】
次に、ストライク１０の組み付け方法の一例を示す。先ず、ドア９０の所定位置に台座部１を固定する。固定は二本のビス８０をビス孔１５を通して行う（図６参照）。次いで、回転筒状カム３の上方螺旋孔３１間にトップピン７を、下方螺旋孔３２間にボトムピン８をそれぞれ径方向において差し渡しで挿通する。この際、トップピン７とボトムピン８間には両ピンを互いに離間する方向に付勢させる第１スプリングバネ９を介在させる。これにより、トップピン７は上方螺旋孔３１の上端に、ボトムピン８は下方螺旋孔３２の下方端に、それぞれ配置される。また、第２スプリングバネ４１を嵌め込んだストライクピン４の連結孔４３にボトムピン８を挿通させて、ボトムピン８とストライクピン４を予め連結させておく。なお、トップピン７とボトムピン８の両側端７０１、８０１は円筒面から外側へ少しはみ出た状態となっている。両ピンを組み込んだ回転筒状カム３は、ストライクピン４のピン頭４４を底板開口２４に上方から下方へ挿通しつつ、ブラケット２の半縦割り円筒状部の内側２２に入れて、回転筒状カム３の下端を底板２３に載置させ回転筒状カム組込ブラケットを得る（図２参照）。次いで、固定具６の爪部６１をブラケット２の角部２８に係合させ、この状態でケース部の一側の開口から内部へ回転筒状カム組込ブラケットを入れつつ、ビス６９を固定具６のビス孔６２を通してケース部５の螺子孔５１に螺合させて、回転筒状カム組込ブラケットをケース部５に組み込む。回転筒状カム組込ブラケットをケース部５に組み込んだ後、ブラケット２上方の係合片２１を台座部１の上方にある台座係合部１１に嵌め込む。これにより、トップピン７とボトムピン８の両端部７０１、８０１はブラケット２の割り端面２６、２６とケース部５の内周面に形成されたレール部５２、５２とで挟持された状態となる（図５（Ａ）参照）。
【００１５】
次に、本例のストライク１０のストライクピン４の没入機構を図４及び図５を参照して説明する。図４（Ａ）及び図５（Ａ）に示すようにケース部５に外力が作用しない定常状態からケース部５を矢印Ｘの方向に移動させる。この操作は通常ケース部５の天板５４を足で踏むことで行われる。ケース部５に下方への力を加えると、ケース部５の内周面の角部５３がトップピン７の両側端７０１の上面（線接触）を第１スプリングバネ９のバネ付勢に抗して下方に押すことになる。これにより、トップピン７は回転筒状カム３を回転させつつ下方へ移動する。回転筒状カム３が回転すると、下方螺旋孔３２は上方螺旋孔３１と逆向きに形成されているため、ボトムピン８は第１スプリングバネ９のバネ付勢に抗して上昇し、ボトムピン８に連結されているストライクピン４も、ボトムピン８の上昇に連動して上昇する（図４（Ｂ））。そして更に力を下方へ加えると、トップピン７が上方螺旋孔３１の下端に到達し、ボトムピン８も下方螺旋孔３２の上端に到達し、ストライクピン４のピン頭４４はケース部５内（ブラケット２内）にほぼ没入状態となる（図４（Ｃ））。このように、ケース部５を下方へ押しやる操作により、トップピン７とボトムピン８の両端部７０１、８０１は固定状態にあるブラケットの割り端面２６、２６と移動状態にあるケース部５のレール部５２間に挟持されつつガイドされるため、トップピン７とボトムピン８は水平状態を維持しつつ円滑に移動する（図５（Ａ）、（Ｂ））。
【００１６】
次に、ケース部５に作用する外力を取り除くと、第１スプリング９のバネ付勢によりトップピン７とボトムピン８が離間する方向に移動する。すなわち、トップピン７は上昇するため、これに連動するケース部５も上昇する。一方、ボトムピン８は下降するため、これに連動するストライクピン４が下降して、定常状態に戻る。
【００１７】
戸当たり本体部としては、中央部にストライクピン４のピン頭４４が収容される形態のものであれば特に制限されず、図７に示すような、内側に上り勾配となる傾斜面を有する半円錐状部材７０、あるいは周面にラバー部材６１を配設した円盤状部材６０等が挙げられる。
【００１８】
次に、本例の戸当りの使用方法について図７及び図８を参照して説明する。本例の場合、戸当たり本体部７０は中央部にストライクピン４のピン頭４４が収容される穴部７２と、内側に上り勾配となる傾斜面７１を有する半円錐状部材である。先ず、ドア９０を開け、更に大きく開けるとストライクピン４のピン頭４４が戸当たり本体部７０の傾斜面７１に当接する（図７（Ｂ））。この際、ストライクピン４のピン頭４４は、第２スプリングバネのバネ付勢に抗し傾斜面７１に沿って上昇し、中央部の穴部７２に嵌まり込み、ドアの開放状態が保持される（図７（Ｃ））。次いでドア９０の開放状態を解除したい場合、ケース部５の天板５４を例えば足で踏み付ける（矢印Ｚ）と、前述のストライクピン４の没入機構が作用して、ストライクピン４は上方に移動し、ケース部５内に没入する（図７（Ｄ））。この状態でドア９０を閉める方向に移動させると、戸当たり本体部７０とストライク１０は切り離され、その後は足の踏み付けを解除するとストライクピン４が下方に戻り定常状態としつつドア９０を閉める（図７（Ｅ））。
【００１９】
次に、他の例の戸当りの使用方法について図９及び図１０を参照して説明する。本例の場合、戸当たり本体部６０は中央部にストライクピン４のピン頭４４が収容される穴部６２と、側面にラバー部材６１を設けた円盤状部材である。先ず、ドア９０を開け、次いでストライク１０のケース部５の天板５４を例えば足で踏み付ける（矢印Ｚ）と、前述のストライクピン４の没入機構が作用し、ストライクピン４は上方に移動し、ケース部５内に没入する（図９（Ｂ））。次いで、ストライクピン４の位置と戸当たり本体部６０の穴部６２の位置を合わせて、足の踏み付けを止めると、ストライクピン４は下降してピン頭４４が戸当たり本体部６０の中央部の穴部６２に嵌まり込み、ドアの開放状態が保持される（図９（Ｃ））。次いでドア９０の開放状態を解除したい場合、ケース部５の天板５４を再度例えば足で踏み付ける（矢印Ｚ）と、ストライクピン４は上方に移動し、ケース部５内に没入する（図９（Ｄ））。この状態でドア９０を閉める方向に移動させると、戸当たり本体部６０とストライク１０は切り離され、その後は足の踏み付けを解除するとストライクピン４が下方に戻り定常状態としつつドア９０を閉める（図９（Ｅ））。
【産業上の利用可能性】
【００２０】
本例の戸当りは家屋の各部屋に設置できる。特に、ストライク出没機構に係る部材が外部から見えず意匠性に優れるため、高級感のある部屋に好適である。また、戸当り本体部は中心に穴部を有する簡易な構造のものでよいため、フロア等をワックス掛けした際、例えワックスが戸当り本体部に付着しても、ストライク出没機構に影響することはない。
【図面の簡単な説明】
【００２１】
【図１】本例の戸当りで用いるストライクの分解斜視図である。
【図２】図１の分解部品の一部を組み付けた図である。
【図３】ケース部のドア側から見た斜視図である。
【図４】ケース部の下方移動に伴う各部材の動きを説明する簡略図である。
【図５】トップピンとボトムピンの両端部の係合位置を説明する図である。
【図６】ストライクと戸当り本体部の位置関係を説明する図である。
【図７】本例の戸当りの使用方法を説明する図である。
【図８】本例の戸当りの使用方法を説明する図である。
【図９】他の例の戸当りの使用方法を説明する図である。
【図１０】他の例の戸当りの使用方法を説明する図である。
【符号の説明】
【００２２】
１    台座部
２    ブラケット
３    回転筒状カム
４    ストライクピン
５    ケース部
６    固定具
７    トップピン
８    ボトムピン
９    第１スプリング
１０    戸当り
１１    台座係合部
１２    台座本体
１３    スカート部
１４    スカート部開口
１５    ビス穴
２１    係合片
２２    半縦割り円筒状部
２３    底板
２４    底板開口
２５    脚部
２６    割り端面
３１    上方螺旋孔
３２    下方螺旋孔
４１    第スプリングバネ
４２    連結棒
４３    連結孔
４４    ピン頭  
【図１】
2005307478.tif 000003
【図２】
2005307478.tif 000004
【図３】
2005307478.tif 000005
【図４】
2005307478.tif 000006
【図５】
2005307478.tif 000007
【図６】
2005307478.tif 000008
【図７】
2005307478.tif 000009
【図８】
2005307478.tif 000010
【図９】
2005307478.tif 000011
【図１０】
2005307478.tif 000012